(57)【要約】【課題】床パンにかかる荷重による負荷を−部に集中させることなく、分散して高さ調整ボルトに伝えることができて、強度が強く、構成が簡単で安価な床パンの支持構造を提供すること。【解決手段】床パン１に埋込ナット２をインサート成形するナット埋込部１ｂを設け、該ナット埋込部１ｂの左右に取付板固着部１ｃ、１ｃを設けると共に、中央にボルト挿入孔３ａを設けた取付板３を、平面視にて該ボルト挿入孔３ａの内側に前記埋込ナット２の螺子孔２ａが位置するように埋込ナット２と当接させ、該取付板３の両端部に設けた床パン固着部３ｃ、３ｃを床パン１の取付板固着部１ｃ、１ｃに固着させると共に、高さ調整ボルト４の上部を埋込ナット２の螺子孔２ａに上下移動自在に螺合させ、高さ調整ボルト４に螺合したロックナット５を取付板下面３ｂに圧着させ、前記埋込ナット２と前記ロックナット５で取付板３を挟持させる。【選択図】図１
2010275714.tif 000002
【特許請求の範囲】
【請求項１】
床パンの底裏面に埋込ナットをインサート成形するナット埋込部を設け、該ナット埋込部の左右の床パンの底裏面に取付板固着部を設けると共に、中央にボルト挿入孔を設けた取付板を、平面視にて該ボルト挿入孔の内側に前記埋込ナットの螺子孔が位置するように埋込ナットと当接させ、該取付板の両端部に設けた床パン固着部を床パンの底裏面の左右の取付板固着部に固着させると共に、高さ調整ボルトの上部を前記取付板のボルト挿入孔を通って埋込ナットの螺子孔に上下移動自在に螺合させ、高さ調整ボルトに螺合したロックナットを取付板下面に圧着させ、前記埋込ナットと前記ロックナットで取付板を挟持させたことを特徴とする床パンの支持構造。
【請求項２】
前記ナット埋込部を、床パンの底裏面から下方に突出させ、該ナット埋込部の突出下部に埋込ナットをインサート成形すると共に、該ナット埋込部の埋込ナットの上方に、埋込ナットの螺子孔と連通するボルト移動穴を設け、前記取付板固着部の下端を、ナット埋込部の突出下端より上方に位置するよう突出させ、前記取付板として、ボルト挿入孔を設けた中央部が、左右の床パン固着部より下方に位置するハット型鋼材を用いたことを特徴とする請求項１記載の床パンの支持構造。
【発明の詳細な説明】
【技術分野】
【０００１】
本発明は、床パンを高さ調整ボルトで支持する床パンの支持構造に関するものである。
【背景技術】
【０００２】
従来から、浴室ユニットの床パンを高さ調整ボルトで支える支持構造においては、図２のように、床パン１の底裏面に取付板固着部１ｃ、１ｃを設け、取付板固着部１ｃ、１ｃの下端に、下方に凸のハット型鋼材３´の両端部の床パン固着部３ｃ、３ｃを固着させ、ハット型鋼材３´の中央下面に溶接固定したナット７に、高さ調整ボルト４を下方側から螺合させ、取付板固着部１ｃ、１ｃ間に形成されている凹み状の凹空間Ｓ内に前記高さ調整ボルト４を上下に螺進退させて床パン１の高さ調整を行うようになっている（特許文献１参照。）。
【０００３】
このような床パンの支持構造においては、床パン１にかかる荷重を、ハット型鋼材３´の両端部の床パン固着部３ｃ、３ｃのみで支持するため、固着させた取付板固着部１ｃ、１ｃに負荷が集中して、固着部の両端部の床パン固着部３ｃ、３ｃと取付板固着部１ｃ、１ｃとが、外れたり、破損するという問題があった。また、ハット型鋼材３´にナット溶接が必要なため、溶接コストが掛かってしまうという問題もあった。
【先行技術文献】
【特許文献】
【０００４】
【特許文献１】特開平１１−２６４１６６号公報
【発明の概要】
【発明が解決しようとする課題】
【０００５】
本発明は、床パンにかかる荷重による負荷を集中させることなく、分散して高さ調整ボルトに伝えることができて、強度が強く、構成が簡単で安価に提供できる床パンの支持構造を提供することを課題とする。
【課題を解決するための手段】
【０００６】
上記課題を解決するための本発明の床パンの支持構造は、床パン１の底裏面１ａに埋込ナット２をインサート成形するナット埋込部１ｂを設け、該ナット埋込部１ｂの左右の床パン１の底裏面１ａに取付板固着部１ｃ、１ｃを設けると共に、中央にボルト挿入孔３ａを設けた取付板３を、平面視にて該ボルト挿入孔３ａの内側に前記埋込ナット２の螺子孔２ａが位置するように埋込ナット２と当接させ、該取付板３の、両端部に設けた床パン固着部３ｃ、３ｃを床パン１の底裏面１ａの左右の取付板固着部１ｃ、１ｃに固着させると共に、高さ調整ボルト４の上部を前記取付板３のボルト挿入孔３ａを通って埋込ナット２の螺子孔２ａに上下移動自在に螺合させ、高さ調整ボルト４に螺合したロックナット５を取付板下面３ｂに圧着させ、前記埋込ナット２と前記ロックナット５で取付板３を挟持させたことを特徴とする。
【０００７】
このように、ナット埋込部１ｂと埋込ナット２とがインサート成形により一体化され、その一体化された埋込ナット２に高さ調整ボルト４を螺合させた状態で、ロックナット５を取付板３に圧着するように螺合させることで、埋込ナット２とロックナット５で取付板３が狭持されて、ナット埋込部１ｂと埋込ナット２と取付板３とロックナット５と高さ調整ボルト４とが一体化し、相互に補強しあって強度の強いものとなる。
【０００８】
また、床パン１にかかる荷重を、一体化されたナット埋込部１ｂと、取付板３の両端部の床パン固着部３ｃ、３ｃとで分散して、高さ調整ボルト４に伝えることができるので、負荷が集中して、取付板固着部１ｃ、１ｃと床パン固着部３ｃ、３ｃとが外れたり、破損するという問題を防止することができる。
【０００９】
また、ロックナット５を取付板３に圧着するように螺合させることによって、高さ調整ボルト４の共回り防止と、取付板３の位置固定とを同時に行うことができるので、共回り防止のためのナットと、取付板３の位置固定のためのナットとを別々に設ける必要がなく、構成が簡単で安価に床パンの支持構造を提供することができる。
【００１０】
また、本発明の床パンの支持構造は、前記ナット埋込部１ｂを、床パン１の底裏面１ａから下方に突出させ、該ナット埋込部１ｂの突出下部１ｄに埋込ナット２をインサート成形すると共に、該ナット埋込部１ｂの埋込ナット２の上方に、埋込ナット２の螺子孔２ａと連通するボルト移動穴６を設け、前記取付板固着部１ｃ、１ｃの下端を、埋込ナット下面２ｂより上方に位置するよう突出させ、前記取付板３として、ボルト挿入孔３ａを設けた中央部３ｄが、左右の床パン固着部３ｃ、３ｃより下方に位置するように形成されたハット型鋼材３´を用いることが好ましい。
【００１１】
このように、ナット埋込部１ｂを下方に突出させて、突出下部１ｄに埋込ナット２をインサート成形することで、高さ調整ボルト４のボルト移動穴６をナット埋込部１ｂ内に設けることができるので、高さ調整ボルト４の調整代は、埋込ナット下面２ｂから、ボルト移動穴６の上端までと、長く取ることができる。また、ボルト移動穴６を設けることで、埋込ナット２は上下長さが長いものではなく、通常のサイズのものを使用しても、調整代を十分に取ることができる。ここで、ハット型鋼材３´を用いることで、ナット埋込部１ｂを突設させるにも関わらず、左右の取付板固着部１ｃ、１ｃの突出長さを抑えることができるので、取付板固着部１ｃ、１ｃの強度が確保できて、取付板固着部１ｃ、１ｃの突出形成に必要な材料費を抑えることができる。
【発明の効果】
【００１２】
本発明は、ナット埋込部と埋込ナットと取付板とロックナットと高さ調整ボルトとを一体化させることで、相互に補強しあって強度の強いものとすることができるという効果がある。また、床パンにかかる荷重による負荷を集中させることなく、一体化されたナット埋込部と、取付板の両端部の床パン固着部とで、分散して高さ調整ボルトに伝えることができるという効果がある。また、ロックナットを取付板に圧着螺合させることで、高さ調整ボルトの共回り防止と、取付板の位置固定とを同時に行うことができるので、構成が簡単で安価に床パンの支持構造を提供することができるという効果がある。
【００１３】
また、ボルト移動穴をナット埋込部の埋込ナット上部に設けることで、上下長さが長い埋込ナットを使用しなくても、高さ調整ボルトの調整代を十分に取ることができるという効果がある。また、取付板として、ハット型鋼材を用いることで、左右の取付板固着部の突出長さは抑えることができるので、取付板固着部の強度を確保できて、取付板固着部の突出形成に必要な材料費を抑えることができるという効果がある。
【図面の簡単な説明】
【００１４】
【図１】本発明の実施形態の一例の床パンの支持構造の概要側面図である。
【図２】従来の床パンの支持構造の概要側面図である。
【発明を実施するための形態】
【００１５】
以下、本発明を図１に示す実施形態の床パンの支持構造に基づいて説明する。浴室ユニットに高さ調整自在に設ける床パン１の底裏面１ａには、埋込ナット２を下面中央部にインサート成形する略円柱状のナット埋込部１ｂが複数、設けられている（図では、１つだけ記載。)。ここで、埋込ナット２は、埋込ナット下面２ｂが、ナット埋込部１ｂの下面よりも下方に位置するようにインサート成形されていて、後述する取付板３に埋込ナット下面２ｂが当接できるように形成されている。ちなみに、ナット埋込部１ｂの下面と埋込ナット下面２ｂは面一であっても良い。
【００１６】
また、埋込ナット２は、後述する高さ調整ボルト４の調整代を大きく取り、インサート成形するナット埋込部１ｂとの接着面を大きく取るため、図１のように上下方向に長いナットを使用している。
【００１７】
ナット埋込部１ｂの左右の床パン１の底裏面１ａには、後述する取付板３を固着させる取付板固着部１ｃ、１ｃが設けられている。中央に、後述する高さ調整ボルト４を挿入させるボルト挿入孔３ａを設けた取付板３は、平面視にてボルト挿入孔３ａの内側に埋込ナット２の螺子孔２ａが位置するように埋込ナット２と当接させている。取付板３の両端部には床パン固着部３ｃ、３ｃを設けており、床パン固着部３ｃ、３ｃは床パン１の底裏面１ａの左右の取付板固着部１ｃ、１ｃにそれぞれ固着させている。ここでの固着方法は、図１のように螺子等によるものであっても良いし、確実に固着可能であれば接着剤によるものであっても良い。
【００１８】
床パン１を支持して、高さを調整する高さ調整ボルト４の上部は、取付板３のボルト挿入孔３ａを通って、埋込ナット２の螺子孔２ａに上下移動自在に螺合させている。高さ調整ボルト４を螺子穴２ａに螺合させている状態で、高さ調整ボルト４に螺合したロックナット５を取付板下面３ｂに圧着するように螺合させると、埋込ナット２とロックナット５で取付板３を挟持させた状態となる。
【００１９】
このように、ナット埋込部１ｂと埋込ナット２とがインサート成形により一体化され、その一体化された埋込ナット２に高さ調整ボルト４を螺合させた状態で、ロックナット５を取付板３に圧着するように螺合させることで、埋込ナット２とロックナット５で取付板３が狭持されて、ナット埋込部１ｂと埋込ナット２と取付板３とロックナット５と高さ調整ボルト４とが一体化し、相互に補強しあって強度の強いものとなる。
【００２０】
また、床パン１にかかる荷重を、一体化されたナット埋込部１ｂと、取付板３の両端部の床パン固着部３ｃ、３ｃとで分散して、高さ調整ボルト４に伝えることができるので、負荷が集中して、取付板固着部１ｃ、１ｃと床パン固着部３ｃ、３ｃとが外れたり、破損するという問題を防止することができる。
【００２１】
また、ロックナット５を取付板３に圧着するように螺合させることによって、高さ調整ボルト４の共回り防止と、取付板３の位置固定とを同時に行うことができるので、共回り防止のためのナットと、取付板３の位置固定のためのナットとを別々に設ける必要がなく、構成が簡単で安価に床パンの支持構造を提供することができる。ここで、埋込ナット２のインサート成形に関しても、床パン１の成形サイクル内で取付けることが可能なため、溶接するような特別なコストがかかるようなことはない。
【００２２】
また、図１に示すように、本発明の実施形態の床パンの支持構造においては、ナット埋込部１ｂは、床パン１の底裏面１ａから下方に突出させていて、埋込ナット２の下面が、ナット埋込部１ｂの下面よりも下方に位置するようにナット埋込部１ｂの突出下部１ｄに埋込ナット２をインサート成形させている。ここで、ナット埋込部１ｂの下面と埋込ナット２の下面は面一であっても良い。
【００２３】
ナット埋込部１ｂ内の埋込ナット２の上方には、埋込ナット２の螺子孔２ａと連通するボルト移動穴６が設けられていて、このボルト移動穴６を高さ調整ボルト４の上端が上下に移動する。ここで、取付板３として、ボルト挿入孔３ａを設けた中央部３ｄが、左右の床パン固着部３ｃ、３ｃより下方に位置するように形成されたハット型鋼材３´を用いることで、取付板固着部１ｃ、１ｃの下端は、埋込ナット下面２ｂより上方に位置するよう突出させることができる。
【００２４】
このように、ナット埋込部１ｂを下方に突出させて、突出下部１ｄに埋込ナット２をインサート成形することで、高さ調整ボルト４のボルト移動穴６をナット埋込部１ｂ内に設けることができる。よって、高さ調整ボルト４の調整代は、埋込ナット下面２ｂから、ボルト移動穴６の上端までと、長く取ることができる。また、ボルト移動穴６を設けることで、埋込ナット２は図１のように上下長さが長いものではなく、通常のサイズのものを使用しても、高さ調整ボルト４の調整代を十分に取ることができる。ただし、埋込ナット２は、負荷がかかっても、ナット埋込部１ｂから外れないものでなければならない。
【００２５】
また、取付板３として、ハット型鋼材３´を用いることで、ナット埋込部１ｂを突設させるにも関わらず、左右の取付板固着部ｌｃ、１ｃの突出長さを抑えることができるので、取付板固着部１ｃ、１ｃの強度を確保できて、取付板固着部１ｃ、１ｃの突出形成に必要な材料費を抑えることができる。
【００２６】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００２７】
１    床パン
１ａ  底裏面
１ｂ  ナット埋込部
１ｃ  取付板固着部
１ｄ  突出下部
２    埋込ナット
２ａ  螺子孔
２ｂ  埋込ナット下面
３    取付板
３ａ  ボルト挿入孔
３ｂ  取付板下面
３ｃ  床パン固着部
３´  ハット型鋼材
４    高さ調整ボルト
５    ロックナット
６    ボルト移動穴
【図１】
2010275714.tif 000003
【図２】
2010275714.tif 000004